(57)【要約】【課題】斜面上において作業者が手を離しても勝手に下っていかない手動式配膳車を提供する。【解決手段】給食用のトレー１を収容する車両本体２の下面に走行用の固定車輪３及び自在車輪４を設けて形成される手動式配膳車Ａに関する。固定車輪３の側面に爪車５を設ける。爪車５の爪６に係合する送り爪７を車両本体２に設ける。【選択図】図１
2008183058.tif 000002
【特許請求の範囲】
【請求項１】
給食用のトレーを収容する車両本体の下面に走行用の固定車輪及び自在車輪を設けて形成される手動式配膳車において、固定車輪の側面に爪車を設けると共に、爪車の爪に係合する送り爪を車両本体に設けて成ることを特徴とする手動式配膳車。
【請求項２】
斜面走行時には爪車の爪に係合し、水平面走行時には爪車の爪に係合しない送り爪を車両本体に設けて成ることを特徴とする請求項１に記載の手動式配膳車。
【請求項３】
固定車輪の両側面に爪の向きを逆にして爪車を設けると共に、各爪車の爪に係合する送り爪を車両本体に設けて成ることを特徴とする請求項２に記載の手動式配膳車。
【請求項４】
爪車に対する送り爪の係合を解除する解除手段を設けて成ることを特徴とする請求項１乃至３のいずれか１項に記載の手動式配膳車。
【発明の詳細な説明】
【技術分野】
【０００１】
本発明は、病院、ホテル、学校等で使用される手動式配膳車に関するものである。
【背景技術】
【０００２】
例えば、病院において各病室の患者に給食する場合には、主食、副食、デザート等を盛り付けた食器をトレーの上に並べると共にこのトレーを配膳車内に多数収容し、この配膳車を配膳係の作業者が押したり引いたりして走行させ、各病室を回りながら、配膳車からトレーを取り出して患者に配達することが行われている。
【０００３】
通常、配膳車は水平な床面上を走行するが、この場合、作業者が配膳車から手を離しても配膳車はその場に停止することになる。しかし、バリアフリーなど建物の構造によっては配膳車は傾いた床面上を走行する場合もある。このような場合、作業者が配膳車から手を離すと配膳車は斜面上を勝手に下っていくことになり、もし斜面の下に人がいると、配膳車がこの人にぶつかるおそれがあり危険である。そこで、配膳車を斜面上に停止させるにあたっては、一般的に作業者が配膳車を支えながらその車輪をロックすることが行われている（例えば、特許文献１参照。）。
【特許文献１】実公平８−４９２０号公報
【発明の開示】
【発明が解決しようとする課題】
【０００４】
しかしながら、斜面上を作業者が配膳車を走行させている場合において、不意に手が滑るなどして配膳車から手が離れてしまったときには車輪をロックする間もなく配膳車は斜面上を勝手に下っていくことになり、上記と同様に危険である。
【０００５】
本発明は上記の点に鑑みてなされたものであり、斜面上において作業者が手を離しても勝手に下っていかない手動式配膳車を提供することを目的とするものである。
【課題を解決するための手段】
【０００６】
本発明の請求項１に係る手動式配膳車は、給食用のトレー１を収容する車両本体２の下面に走行用の固定車輪３及び自在車輪４を設けて形成される手動式配膳車Ａにおいて、固定車輪３の側面に爪車５を設けると共に、爪車５の爪６に係合する送り爪７を車両本体２に設けて成ることを特徴とするものである。
【０００７】
請求項２に係る発明は、請求項１において、斜面走行時には爪車５の爪６に係合し、水平面走行時には爪車５の爪６に係合しない送り爪７を車両本体２に設けて成ることを特徴とするものである。
【０００８】
請求項３に係る発明は、請求項２において、固定車輪３の両側面に爪６の向きを逆にして爪車５ａ，５ｂを設けると共に、各爪車５ａ，５ｂの爪６に係合する送り爪７ａ，７ｂを車両本体２に設けて成ることを特徴とするものである。
【０００９】
請求項４に係る発明は、請求項１乃至３のいずれか１項において、爪車５に対する送り爪７の係合を解除する解除手段８を設けて成ることを特徴とするものである。
【発明の効果】
【００１０】
本発明の請求項１に係る手動式配膳車によれば、爪車の爪に送り爪が係合することによって、固定車輪の回転を一定の向きに制限することができるものであり、特に斜面上を作業者が手動式配膳車を引っ張り上げる場合において、作業者が手動式配膳車から手を離しても、手動式配膳車が勝手に斜面を下っていくのを防止することができるものである。
【００１１】
請求項２に係る発明によれば、斜面走行時には送り爪が爪車の爪に係合することによって、作業者が手動式配膳車から手を離しても、手動式配膳車が勝手に斜面を下っていくのを防止することができるものであり、また、水平面走行時には送り爪が爪車の爪に係止しないことによって、固定車輪の回転が制限されず、手動式配膳車を自由に前進・後退させることができるものである。
【００１２】
請求項３に係る発明によれば、爪の向きを逆にした爪車が固定車輪に設けられていることによって、特に斜面上を手動式配膳車を後ろ向きに上らせる場合であっても、手動式配膳車が勝手に斜面を下っていくのを防止することができるものである。
【００１３】
請求項４に係る発明によれば、解除手段で爪車に対する送り爪の係合を解除することによって、固定車輪の回転が制限されず、手動式配膳車を自由に前進・後退させることができるものである。
【発明を実施するための最良の形態】
【００１４】
以下、本発明の実施の形態を説明する。
【００１５】
図１は本発明の実施の形態の一例を示すものであり、この手動式配膳車Ａは、給食用のトレー１を収容する車両本体２の下面に走行用の固定車輪３及び自在車輪４を設けて形成されている。
【００１６】
車両本体２は、両側面が開口する箱状の温冷庫９と、温冷庫９の両側の開口部分を除いて温冷庫９の外面に外装される外装パネル１０と、温冷庫９の両側の開口部分に取り付けられる開閉自在な扉１１とで形成してある。温冷庫９は、前後方向に仕切板１２で仕切って温蔵庫１３と冷蔵庫１４とで形成されており、仕切板１２には上下方向に複数段のトレー受け１５が形成されている。そのため、車両本体２には多数の給食用のトレー１を各トレー受け１５に載せて収容することができるようになっている。また、車両本体２の上部には、温冷庫９内の温度などを調整するための各種スイッチ類や計器類が形成された操作表示部１６が設けられており、車両本体２の前方側には、食事を配達する作業者が掴むためのハンドル１７が設けられている。
【００１７】
車両本体２下面の前方左右２箇所及び後方左右２箇所には、首振り自在な自在車輪４（キャスター）が設けられており、手動式配膳車Ａの向きを自由に変えることができるようにしてある。また、車両本体２下面の中央部左右２箇所には、車両本体２の前後方向にのみ回転する固定車輪３が設けられている。図１において３８はバンパーである。
【００１８】
各固定車輪３は、図２に示すように、車両本体２の下面に突設された支持部１８の車軸１９に取り付けられている。そして各固定車輪３の側面には、爪車５が固定して設けられており、この爪車５は固定車輪３と共に車軸１９を中心に回転するようにしてある。
【００１９】
爪車５には、図２に示すように、複数の爪６が設けられており、各爪６は、送り爪７（後述）が滑る滑面２０と、送り爪７が係合する係合面２１とで形成されている。そして手動式配膳車Ａが前進する方向に固定車輪３が回転（正転）する場合、つまり図２の矢印の向きに固定車輪３が回転する場合において、各爪６についてその滑面２０が先に来て係合面２１が後に来るような向きとなるように、爪車５が固定車輪３に設けられている。
【００２０】
送り爪７は、図２に示すように、爪車５の爪６に係合するものであり、車両本体２の下面に突設された支持部１８の回転軸２２に設けられている。この回転軸２２は車軸１９より後方上部に位置しており、送り爪７は回転軸２２を中心に回転するようにしてある。図２に示すように、送り爪７の先端は通常自重により爪車５の爪６の上に載っている。そして、図２の矢印の向きに固定車輪３が正転する場合には、送り爪７の先端が、ある爪６の滑面２０を滑った後、その爪６の突端（滑面２０と係合面２１との境界部分）から次の爪６の滑面２０の上に落ちるという動作が繰り返されるものであり、固定車輪３の正転は何ら制限を受けないことになる。他方、手動式配膳車Ａが後退する方向に固定車輪３が回転（逆転）しようとする場合、つまり図２の矢印の向きと反対の向きに固定車輪３が回転しようとする場合には、送り爪７の先端は爪車５の爪６の係合面２１に当接して引っ掛かるので、固定車輪３は逆転しないことになる。
【００２１】
このように、爪車５の爪６に送り爪７が係合することによって、固定車輪３の回転を一定の向き（図２では矢印の向き）に制限することができるものであり、図２のように特に斜面上を作業者が手動式配膳車Ａを引っ張り上げる場合においては、作業者が手動式配膳車Ａから誤って手を離しても、手動式配膳車Ａが勝手に斜面を下っていくのを防止することができるものである。
【００２２】
ところで、図３（ａ）のように送り爪７の先端が常に爪車５の爪６の上に載っていると、水平面上では手動式配膳車Ａは前進できるのみで後退できないことになるが、本発明においては、爪車５に対する送り爪７の係合を解除するための解除手段８が設けられており、これによって手動式配膳車Ａは前進のみならず後退もできるようにしてある。解除手段８は、送り爪７が設けられた回転軸２２を任意に回転させることができる手段であり、例えば、図３のように回転軸２２に設けられた突起部２３の先端にワイヤー２４の一端を接続して形成することができる。突起部２３は、図３（ａ）に示すように、送り爪７が爪車５の上に載っている場合に送り爪７より上方に位置するように回転軸２２に設けられている。図３に示すものでは、送り爪７と突起部２３のなす角度は略９０°であるが、これに限定されるものではない。そしてワイヤー２４を後方に引くと、回転軸２２が後方の向きに回転することによって、図３（ｂ）のように送り爪７が持ち上げられて爪車５から離れるので、固定車輪３を逆転させることができるものである。なお、ワイヤー２４の他端は、図１に示すように、複数の滑車２５を経て、ハンドル１７に設けられた解除レバー２６に接続されており、作業者がハンドル１７を掴んだまま解除レバー２６を手前に引くと送り爪７の係合が解除されるようになっている。
【００２３】
図４は解除手段８の他の一例を模式的に示すものであり、この解除手段８は、回転軸２２に設けられた突起部２３の先端にソレノイド２７の可動鉄心２８を接続して形成されている。ソレノイド２７は制御部２９と電気的に接続されており、この制御部２９は、電力を供給するバッテリー３０及び可動鉄心２８の移動する向きを変えるスイッチ３１と電気的に接続されている。そしてスイッチ３１を解除側に入れると、可動鉄心２８が後方に引かれ、これに伴って回転軸２２が後方の向きに回転することによって、送り爪７が持ち上げられて爪車５から離れるので、固定車輪３を逆転させることができるものである。なお、スイッチ３１をロック側に入れると、図４のように可動鉄心２８が前方に押され、これに伴って回転軸２２が前方の向きに回転することによって、送り爪７が爪車５に弾接されるので、固定車輪３の逆転が制限されるものである。
【００２４】
図５は解除手段８のさらに他の一例を模式的に示すものであり、この解除手段８は、次のようにして形成されている。すなわち、回転軸２２に設けられた突起部２３の先端にリンクバー３２の一端が軸着され、リンクバー３２の他端は、モーター３３の回転軸３４に固定して設けられた回転アーム３５の先端に軸着されている。モーター３３は制御部２９と電気的に接続されており、この制御部２９は、電力を供給するバッテリー３０及び回転アーム３５の回転する向きを変えるスイッチ３１と電気的に接続されている。そしてスイッチ３１を解除側に入れると、回転アーム３５が後方の向きに回転してリンクバー３２が後方に引かれ、これに伴って回転軸２２が後方の向きに回転することによって、送り爪７が持ち上げられて爪車５から離れるので、固定車輪３を逆転させることができるものである。なお、スイッチ３１をロック側に入れると、図５のように回転アーム３５が前方の向きに回転してリンクバー３２が前方に押され、これに伴って回転軸２２が前方の向きに回転することによって、送り爪７が爪車５に弾接されるので、固定車輪３の逆転が制限されるものである。
【００２５】
このように、上記いずれの解除手段８を用いても、爪車５に対する送り爪７の係合を解除することができ、これによって固定車輪３の回転が制限されることなく、手動式配膳車Ａを自由に前進・後退させることができるものである。
【００２６】
図６は本発明の実施の形態の他の一例を示すものであり、この手動式配膳車Ａの車両本体２には、斜面走行時には爪車５の爪６に係合し、水平面走行時には爪車５の爪６に係合しない送り爪７が設けられている。具体的には、この送り爪７は、回転軸２２の送り爪７と反対側に釣合錘３６（バランスウエイト）を設けて形成されており、この釣合錘３６によって送り爪７は一定の位置（図６（ａ）では水平）に保持されている。そのため手動式配膳車Ａが水平面上にある場合には、図６（ａ）のように釣合錘３６によって送り爪７は爪車５から離れているので、固定車輪３を自由に正転・逆転させることができるものである。また手動式配膳車Ａが斜面上を上っていく場合には、図６（ｂ）のように爪車５が送り爪７に接近して係合するようになるので、固定車輪３の正転は制限を受けないが逆転は制限されるものである。また斜面上において手動式配膳車Ａを後退させる場合には、既述の解除手段８を用い、図６（ｃ）のようにして送り爪７の係合を解除すればよい。なお、図６に示すものにあっては、解除手段８を使用していないときは釣合錘３６によって送り爪７を水平に保持するようにしているが、図６（ａ）のように手動式配膳車Ａが水平面上を走行する場合に送り爪７が爪車５に接触していなければよいので、送り爪７は釣合錘３６の軽重によって若干上下に傾いていてもよい。
【００２７】
このように、図６に示す固定車輪３を設けた手動式配膳車Ａにあっては、図６（ｂ）のように斜面走行時には送り爪７が爪車５の爪６に係合することによって、作業者が手動式配膳車Ａから手を離しても、手動式配膳車Ａが勝手に斜面を下っていくのを防止することができるものであり、また、図６（ａ）のように水平面走行時には送り爪７が爪車５の爪６に係止しないことによって、固定車輪３の回転が制限されず、手動式配膳車Ａを自由に前進・後退させることができるものである。
【００２８】
ところで、通常は作業者はハンドル１７を掴んで手動式配膳車Ａを引っ張って走行させるものであるが、方向転換できないような場所では手動式配膳車Ａを押して走行させざるを得ない。このような場合、図６に示す固定車輪３を設けた手動式配膳車Ａを斜面上を押し上げて走行させるときには、図６（ｄ）のように送り爪７は釣合錘３６によって爪車５から離れた状態に保持されているので、固定車輪３が自由に正転・逆転してしまうことになる。よって、このとき作業者の手が不意に滑るなどして手動式配膳車Ａから離れてしまうと、この手動式配膳車Ａは作業者に向かってぶつかるおそれがある。
【００２９】
そこで、このような問題を解消できるようにしたのが図７に示すものである。図７は本発明の実施の形態の他の一例を示すものであり、この手動式配膳車Ａにあっては、固定車輪３の両側面に爪６の向きを逆にして爪車５ａ，５ｂが固定して設けられていると共に、各爪車５ａ，５ｂの爪６に係合する送り爪７ａ，７ｂが車両本体２に設けられている。つまり、図６に示すものに爪車５ｂ及び送り爪７ｂをさらに追加したものであるが、追加した爪車５ｂは、固定車輪３と支持部１８との間に位置して、固定車輪３と共に車軸１９を中心に回転するようにしてある。固定車輪３の両側の爪車５ａ，５ｂの爪６の向きは相互に逆向きであるから、手動式配膳車Ａが前進する方向に固定車輪３が回転（正転）する場合、つまり図７（ａ）の矢印の向きに固定車輪３が回転する場合に、外側の爪車５ａにあっては、各爪６についてその滑面２０が先に来て係合面２１が後に来るようになっているが、内側の爪車５ｂにあっては、各爪６についてその係合面２１が先に来て滑面２０が後に来るようになっている。
【００３０】
外側の爪車５ａの爪６に係合する送り爪７ａは図６と同様に設けられており、内側の爪車５ｂの爪６に係合する送り爪７ｂは、支持部１８において車軸１９より前方上部に位置する回転軸３７に設けられている。この送り爪７ｂも回転軸３７を中心に回転するようにしてあり、さらに回転軸３７の送り爪７ｂと反対側に釣合錘３６（バランスウエイト）が設けられている。２つの釣合錘３６によっていずれの送り爪７ａ，７ｂも一定の位置（図７（ａ）では水平）に保持されている。そのため手動式配膳車Ａが水平面上にある場合には、図７（ａ）のように各釣合錘３６によっていずれの送り爪７ａ，７ｂも各爪車５ａ，５ｂから離れているので、固定車輪３を自由に正転・逆転させることができるものである。また手動式配膳車Ａが斜面上を引っ張られて上っていく場合には、図７（ｂ）のように内側の送り爪７ｂは内側の爪車５ｂから離れており、かつ外側の爪車５ａが外側の送り爪７ａに接近して係合するようになるので、固定車輪３の図７（ｂ）の矢印の向きの回転は制限を受けないが、これとは逆の回転は制限されるものである。このとき手動式配膳車Ａを後退させる場合には、既述の解除手段８を用い、図７（ｃ）のようにして外側の送り爪７ａの係合を解除すればよい。他方、手動式配膳車Ａが斜面上を押されて上っていく場合には、図７（ｄ）のように外側の送り爪７ａは外側の爪車５ａから離れており、かつ内側の爪車５ｂが内側の送り爪７ｂに接近して係合するようになるので、固定車輪３の図７（ｄ）の矢印の向きの回転は制限を受けないが、これとは逆の回転は制限されるものである。このとき手動式配膳車Ａを後退させる場合にも、既述の解除手段８を用い、図７（ｅ）のようにして内側の送り爪７ｂの係合を解除すればよい。
【００３１】
このように、図７に示す固定車輪３を設けた手動式配膳車Ａにあっては、爪６の向きを逆にした爪車５ａ，５ｂが各固定車輪３に設けられていることによって、図７（ｂ）のように斜面上を手動式配膳車Ａを引っ張って上らせる場合のみならず、図７（ｄ）のように特に手動式配膳車Ａを押して斜面上を後ろ向きに上らせる場合であっても、手動式配膳車Ａが勝手に斜面を下っていくのを防止することができるものである。
【図面の簡単な説明】
【００３２】
【図１】手動式配膳車の一例を示す側面図である。
【図２】手動式配膳車の固定車輪を示す側面図である。
【図３】（ａ）（ｂ）は手動式配膳車の固定車輪を示す側面図である。
【図４】手動式配膳車の解除手段の他の一例を示す模式図である。
【図５】手動式配膳車の解除手段の他の一例を示す模式図である。
【図６】（ａ）〜（ｄ）は手動式配膳車の他の一例の固定車輪を示す側面図である。
【図７】（ａ）〜（ｅ）は手動式配膳車の他の一例の固定車輪を示す側面図である。
【符号の説明】
【００３３】
Ａ  手動式配膳車
１  トレー
２  車両本体
３  固定車輪
４  自在車輪
５  爪車
５ａ  爪車
５ｂ  爪車
６  爪
７  送り爪
７ａ  送り爪
７ｂ  送り爪
８  解除手段
【図１】
2008183058.tif 000003
【図２】
2008183058.tif 000004
【図３】
2008183058.tif 000005
【図４】
2008183058.tif 000006
【図５】
2008183058.tif 000007
【図６】
2008183058.tif 000008
【図７】
2008183058.tif 000009